(57)【特許請求の範囲】
【請求項１】
記録媒体が装着されると共に、ドライバ部が対応して設けられたスロットを複数備えた撮像装置であって、
ユーザにより使用するスロットの指定がある場合は、指定されたスロットに対応して設けられたドライバ部に電力を供給すると共に、当該指定されたスロットに装着された記録媒体の空き容量が十分でないときに警告を発し、スロットの指定がない場合は、予め定められた優先度に基いて、前記複数のスロットのうちのいずれか１つを選択して、選択した該スロットに対応して設けられたドライバ部に電力を供給すると共に、選択された該スロットに装着された記録媒体の空き容量が十分でないときに、該ドライバ部に対する電力の供給を遮断して他のドライバ部に電力を供給する電力切り換え手段を備えたことを特徴とする撮像装置。
【請求項２】
前記複数のスロットは、それぞれ異なる種類の記録媒体に対して設けられたことを特徴とする請求項１に記載の撮像装置。
【発明の詳細な説明】
【０００１】
【発明の属する技術分野】
本発明は、撮像装置に係り、特に、複数の記録媒体を装着可能な撮像装置に関する。
【０００２】
【従来の技術】
近年、メモリ技術の発達とＣＣＤの高画素化により撮像装置の高性能化が進んできており、高性能の撮像素子を用いて画像を高解像度で記録することが可能となってきている。画像を高解像度で記録した場合、１コマの画像を表わす画像情報量が多くなるため、近年では、大量の画像情報を記録可能とする必要性が高まってきている。
【０００３】
そのため、撮像装置に複数の記録媒体を装着できるようにスロットを複数設けた構成として、実質的に大量の画像情報を記録可能とした撮像装置が提案されている。
【０００４】
例えば、特開平５−９１４５５号公報には、複数の記録媒体が取り付け可能な電子スチルカメラが提案されている。この公報に提案された電子スチルカメラは、２枚以上の記録媒体を装着できるカードスペース(スロット)を有し、複数のスロットのうちの１つを使用する場合は、選択された１つのスロットに制御信号が出力されるように制御信号の出力先を切り替える構成となっている。
【０００５】
【発明が解決しようとする課題】
近年、撮像装置は、小型化、低電圧化が進んでいるため、撮像装置は電力不足になり易い。撮像装置が電力不足となると電気的な制御に支障をきたして、撮像装置がシステムダウンしてしまう場合がある。
【０００６】
写真撮影では、一瞬の撮影タイミングを逃すと２度と同じような撮影タイミングが得られない場合がある。そのため、撮影中に電力不足などにより撮影不能になることを極力避ける必要がある。
【０００７】
一般に、電池などの電源の寿命が短ければ短いほど、撮影中に電力不足などにより撮影不能になる可能性が高いため、従来より、撮像装置自体の消費電力を少なくして電源の寿命を延ばし、撮影可能枚数を増加させることが重要な課題となっている。
【０００８】
上述した記録媒体を装着するスロットを複数設けた構成の撮像装置では、複数のスロットのそれぞれに対して電圧を印加する構成であるため、撮像装置全体としての待機電力が増大してしまう。そのため、複数の記録媒体の装着により機械構成的には大量の画像情報が記録可能となる反面、待機電力の増大により電源の寿命が短くなり電気構成的には大量の画像情報が記録不能となるという難点がある。
【０００９】
また、複数のスロットのうちの１つを使用する場合も、選択された１つのスロットに制御信号が出力されるように制御信号の出力先を切り替えるのみで、選択されていないスロットにも電圧が印加されるので、無駄に電力が消費されるという問題もある。
【００１０】
以上のことから、本発明は、複数の記録媒体の装着が可能で、かつ、消費電力の少ない撮像装置を提供することを目的とする。
【００１１】
【課題を解決するための手段】
上記目的を達成するために請求項１に記載の発明の撮像装置は、記録媒体が装着されると共に、ドライバ部が対応して設けられたスロットを複数備えた撮像装置であって、ユーザにより使用するスロットの指定がある場合は、指定されたスロットに対応して設けられたドライバ部に電力を供給すると共に、当該指定されたスロットに装着された記録媒体の空き容量が十分でないときに警告を発し、スロットの指定がない場合は、予め定められた優先度に基いて、前記複数のスロットのうちのいずれか１つを選択して、選択した該スロットに対応して設けられたドライバ部に電力を供給すると共に、選択された該スロットに装着された記録媒体の空き容量が十分でないときに、該ドライバ部に対する電力の供給を遮断して他のドライバ部に電力を供給する電力切り換え手段を備えたことを特徴とする。尚、記録媒体は、例えば、フロッピーディスク（ＦＤ）、ＰＣカード、ＭＯ、フラッシュメモリ、ＨｉＦＤ（商品名；富士写真フイルム株式会社製）、光磁気ディスク及びスマートメディアなどが挙げられる。
【００１２】
請求項１の発明では、電力切り替え手段が、撮影する度にユーザにより指定された使用するスロットに対応して設けられたドライバ部に電力を供給すると共に、当該指定されたスロットに装着された記録媒体の空き容量が十分でないときに警告を発し、スロットの指定がない場合は、予め定められた優先度に基いて、前記複数のスロットのうちのいずれか１つを選択して、該スロットに対応して設けられたドライバ部に電力を供給すると共に、選択された該スロットに装着された記録媒体の空き容量が十分でないときに、該ドライバ部に対する電力の供給を遮断して他のドライバ部に電力を供給する。これにより、待機中の使用しないスロットのドライバ部に対しては電力が供給されないので、無駄に電力が消費されるのを防止することができる。また、選択された該スロットに装着された記録媒体の空き容量が十分でないときに、該ドライバ部に対する電力の供給を遮断して他のドライバ部に電力を供給できるので、無駄に電力が消費されるのを防止することができる。
【００１４】
このように構成することにより、画像情報を特定の記録媒体に集中して記録させることができるので、画像情報がどの記録媒体に記録されたかが明瞭であり、ユーザ側での管理が容易となる。
【００１５】
例えば、撮像装置が第１スロット、第２スロット、及び第３スロットの３つのスロットを備え、これら３つのスロットの全てに記録媒体が装着されており、優先度が第１スロット、第２スロット、及び第３スロットの順に定められている場合、前記電力切り換え手段は、まず、第１スロットのドライバ部に電力を供給し、第２スロット、及び第３スロットの２つのスロットのドライバ部に対しては電力の供給を遮断しておく。これにより、第１スロットに装着された記録媒体に撮影した画像情報が記録されることとなる。
【００１６】
第１スロットに装着された記録媒体の容量が少なくなり、画像の記録が不能になると、前記電力切り換え手段は、第１スロットのドライバ部に対する電力の供給を遮断して第２スロットのドライバ部に電力の供給を開始する。これにより、第２スロットに装着された記録媒体に撮影した画像情報が記録されることとなる。
【００１７】
さらに、第２スロットに装着された記録媒体の容量が少なくなり、画像の記録が不能になると、前記電力切り換え手段は、第２スロットのドライバ部に対する電力の供給を遮断して第３スロットのドライバ部に電力の供給を開始する。これにより、第３スロットに装着された記録媒体に撮影した画像情報が記録されることとなる。なお、以上は撮像装置が３つのスロットを備えた場合の１例であり、撮像装置が２つのスロット又は４つ以上のスロットを備える場合も同様に、前記電力切り換え手段は、優先度順にドライバ部に対して電力の供給を切り替えるようにする。
【００１８】
このように予め優先度を定めて、優先度の高い順にスロットに電力が供給されるように構成することで、画像情報の格納順番がばらつかないので、撮影後にユーザがどの記録媒体に画像情報が記録されているかが確認し易くなり、使い勝手の良いものとなり好ましい。
【００１９】
なお、優先度は、撮像装置の製造時に撮像装置に設定しておいても良いが、スロットの優先度を決定する優先度決定手段を設けてユーザが自由に決定できるように構成することができる。さらに、撮像装置の製造時に撮像装置に設定しておいた優先度と、優先度決定手段によりれ決定された優先度とを切り替える優先度切り替え手段を設け、優先度切り替え手段により撮像装置の製造時に撮像装置に設定しておいた優先度と、優先度決定手段によりれ決定された優先度とを切り替え可能に構成することができる。
【００２１】
前記電力切り換え手段は、実際に記録媒体に画像情報を記録するとき又は記録媒体から画像情報を読み出して再生するときにスロットのドライバ部に対して電力を供給するため、より一層待機電力を低く押さえることができる。これにより、電源を有効に利用して寿命を伸ばすことができるので撮影可能枚数が増加し、好ましい。
【００２２】
なお、請求項２に記載したように、前記複数のスロットは、それぞれ異なる種類の記録媒体に対して設けるように構成すると良い。
【００２３】
【発明の実施の形態】
以下、図１を参照して本発明の第１の実施の形態を詳細に説明する。本発明が適用されたデジタルカメラ１０は、図１（Ａ）及び図１（Ｂ）に示すように、本体１１が略箱型であり、正面から見て左側には、本体１１の把持を容易とするための把持部が形成されている。
【００２４】
本体１１の正面側には、レンズユニット１４、撮影範囲等を目視で確認するためのファインダ１５、低照度での撮影等の場合に補助光を発するためのストロボ発光部１６ａが取付けられている。
【００２５】
また、本体１１の上面には、正面から見て左側にモードダイヤル４７、及び電源スイッチ２１が設けられ、モードダイヤル４７の中央部がシャッタボタン１２となっている。
【００２６】
モードダイヤル４７は、デジタルカメラの動作モードを選択するダイヤルであり、例えば、オート撮影モード、マニュアル撮影モード、セルフタイマー撮影モード、再生モード、パソコンに接続して画像を出力するＰＣモード及び各種機能の初期条件を設定するセットアップ項目設定モードのうちのいずれか１つを選択する。
【００２７】
また、本体１１の背面の下方側には、図１（Ｂ）に示すように、ＬＣＤから成るカラーのディスプレイ４６が設けられており、ディスプレイ４６の上方側には、モノクロの液晶表示パネル１３、ストロボボタン１７、十字ボタン１９、及びメニュー実行ボタン２５等の各種操作ボタンが設けられている。
【００２８】
ディスプレイ４６は、画像表示指示がある場合に、後述するメモリブロック４２に保存された画像データ(画像情報)やスロットに装着された記録媒体から読み込んだ画像データに基づいて画像を画面全体に表示したり、複数の縮小画像を並べて表示（以下、サムネイル表示と称す。）したり、各種機能選択画面を表示する。液晶表示パネルは、動作モード、画質、バッテリー量、ストロボの発光／非発光、撮影可能枚数等デジタルカメラの現在の設定を表示する。
【００２９】
十字ボタン１９は、ディスプレイ４６が各種項目選択画面のときにディスプレイ４６に表示されたボタンを選択したり、カーソルを動かすためのボタンである。また、ストロボボタン１７はストロボ発光部１６ａを強制発光するときに強制発光指示を出したり、ストロボを発光禁止するときに発光禁止指示を出すボタンであり、メニュー実行ボタン２５は、ディスプレイ４６に表示されて十字ボタンで選択された項目の実行指示を出すボタンである。
【００３０】
また、本体１１の正面から見て右側の側面には、図２に示すように、ＨｉＦＤ（商品名；富士写真フイルム株式会社製）が装着可能な第１のスロット２３ａと、スマートメディアが装着可能な第２のスロット２３ｂとが設けられている。
【００３１】
第１のスロット２３ａ及び第２のスロット２３ｂのそれぞれの近傍には、スロット内に装着されたＨｉＦＤ又はスマートメディアなどの記録媒体を取り出すためのイジェクトスイッチ３５ａ、３５ｂが設けられている。記録媒体をスロット装着すると、従来より周知のてこの機構によりイジェクトスイッチ３５ａ、３５ｂが飛び出た状態となり、イジェクトスイッチ３５ａ、３５ｂを押圧すると、スロット内部に装着されている記録媒体がスロットから飛び出す様に構成されている。
【００３２】
このスロット２３には、埃などのゴミを進入を防ぐ為に開閉可能な蓋２８が設けられている。また、スロット２３ａ、２３ｂの近傍には開閉状態を検出するための開閉状態検出センサ２９が設けられている。この開閉状態検出センサ２９は、蓋２８が閉じられるときに押圧されてオンされ電気信号を後述する制御部２２に出力する。
【００３３】
また、図３に、本実施の形態のデジタルカメラ１０の電気系の構成を示す。
【００３４】
撮影操作部５０は、シャッタボタン１２、モードダイヤル４７、ストロボボタン１７、十字ボタン１９、及びメニュー実行ボタン２５等の各種操作ボタンを含んで構成され、ユーザにより選択されたボタンからの電気信号は、制御部２２に入力するように構成されている。
【００３５】
レンズユニット１４は、詳しくはステッピングモータ等の駆動源の駆動力により焦点位置を変更可能な機構（オートフォーカス（ＡＦ）機構）を備えたズームレンズ（焦点距離可変レンズ）であり、レンズユニット１４のＡＦ機構及びズーム機構は図示しない駆動回路によって駆動される。なお、ズームレンズに代えて、ＡＦ機構のみを備えた焦点距離固定レンズを用いてもよい。
【００３６】
撮像回路５２は、シャッタ２６及び絞り２７から構成された電子シャッタ機構、本体１１内部のレンズユニット１４の焦点位置に相当する位置に設けられたエリアＣＣＤから成る撮像デバイス３０、及びこれらの駆動を制御する図示しない制御回路とを含んで構成されている。
【００３７】
撮像デバイス３０は、図示しない駆動回路によって駆動され、駆動回路は、図示しないタイミング信号発生回路によって発生されたタイミング信号に同期したタイミングで撮像デバイス３０を駆動して、画像信号（受光面上にマトリクス状に配列された多数個の光電変換セルの各々における受光量を表す信号）を出力する。
【００３８】
タイミング信号発生回路は、ＣＰＵ２２ａ、ＲＯＭ２２ｂ及びＲＡＭ２２ｃにより構成された制御部２２により制御され、撮像デバイス３０やＡ／Ｄ変換部３８等を動作させるための各種のタイミング信号（クロック信号）を発生する。
【００３９】
また、撮像デバイス３０は、画像信号を信号処理部５４に出力する。信号処理部５４は、アナログ信号処理部３６、Ａ／Ｄ変換部３８、図示しない相関二重サンプリング回路、図示しない内部インタフェース（Ｉ／Ｆ）回路及びデジタル信号処理部４０を含んで構成されている。
【００４０】
撮像デバイス３０からの画像信号は図示しない増幅器を介してアナログ信号処理部３６に出力される。アナログ信号処理部３６はＡ／Ｄ変換部３８に接続されており、アナログ信号処理部３６から出力された信号は、増幅器で増幅されてＡ／Ｄ変換部３８でデジタルデータに変換される。
【００４１】
Ａ／Ｄ変換部３８の出力端は、図示しない相関二重サンプリング回路（ＣＤＳ回路）、図示しない内部インタフェース（Ｉ／Ｆ）回路を順に介してデジタル信号処理部４０に接続されている。ＣＤＳ回路では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路を介して画像ファイルとしてデジタル信号処理部４０に順次出力する。
【００４２】
デジタル信号処理部４０は、入力されたデジタル信号に所定のデジタル信号処理（例えばシェーディング補正処理等）を施して、原画像ファイルとしてバス７０を介してメモリブロック４２に出力する。また、デジタル信号処理部４０は、外部機器が図示しないビデオ出力端子に接続されている場合はビデオ信号を出力する。また、デジタル信号処理部４０は、制御部２２からサムネイル表示指示が出されると、メモリブロック４２に記憶された複数の画像ファイルの各々に関連して記憶されている複数のサムネイル画像をディスプレイ４６に表示させる。
【００４３】
メモリブロック４２は、再生時に検索用に読み込んだ画像ファイルを一時的に保存したり、バス７０を介してデジタル信号処理部４０から出力された画像ファイルを保存する。
【００４４】
このとき、スロットに装着されたＨｉＦＤ又はスマートメディアに書き込み指示があれば、記憶した画像ファイルを圧縮伸張部４４で所定の画像圧縮処理（例えばＪＰＥＧ処理）が行われた後、第１外部記録部２０ａ、第２外部記録部２０ｂのうちの選択された一方に出力され、外部インターフェース（外部Ｉ／Ｆ）（図示せず）を介して選択された外部記録部に対応するスロットに装着された記録媒体に書き込まれる。なお、詳細は後述する。また、記憶した画像ファイルを圧縮伸張部４４で圧縮せずに書き込むようにも設定できる。
【００４５】
画像再生部５６は、液晶駆動回路２４とディスプレイ４６とを含んで構成されている。第１スロット２３ａと第２スロット２３ｂのうちの一方に装填された記録媒体に記憶されている画像ファイルによる画像の再生（表示）が指示された場合には、選択されたスロット内の記録媒体から画像ファイルが読み出される (詳細は後述) 。読み出された画像ファイルが圧縮されて記録されていた場合には、被圧縮画像ファイルは圧縮伸張部４４で伸張（解凍）された後にメモリブロック４２に記憶される。そして、メモリブロック４２に記憶された画像ファイルをデジタル信号処理部４０が液晶駆動回路２４に転送してディスプレイ４６に画像を表示（再生）させる。
【００４６】
上述したように、本実施の形態のデジタルカメラ１０は、第１のスロット２３ａ及び第２のスロット２３ｂの２つのスロットを備えている。第１のスロット２３ａには、第１外部記録部２０ａが対応して設けられており、第１外部記録部２０ａは、制御部２２からの指示に基いて第１のスロット２３ａ内に装着されたＨｉＦＤに対して画像情報の書き込み処理及び画像情報の読み出し処理を行なう。
【００４７】
また、第２のスロット２３ｂには、第２外部記録部２０ｂが対応して設けられており、第２外部記録部２０ｂは制御部２２からの指示に基いて第２のスロット２３ｂ内に装着されたスマートメディアに対して画像情報の書き込み処理及び画像情報の読み出し処理を行なう。なお、第１外部記録部２０ａ、第２外部記録部２０ｂは、本発明のドライバ部に相当する。
【００４８】
ＤＣ／ＤＣ回路３１は、電源３３に接続され、各種部品に電力を供給する回路であり、なお、図３では説明のため、第１外部記録部２０ａ及び第２外部記録部２０ｂに対する電源供給について図示する。
【００４９】
ＤＣ／ＤＣ回路３１と、第１外部記録部２０ａ及び第２外部記録部２０ｂのそれぞれの間には、第１スイッチ３４ａ、第２スイッチ３４ｂが設けられている。これら  スイッチ３４ａ、３４ｂは、制御部２２からの指示に基いて接続状態又は非接続状態に制御される。なお、第１スイッチ３４ａ、第２スイッチ３４ｂは、本発明の電力切り換え手段の一部に相当する。
【００５０】
ストロボユニット１６は、ストロボ発光部１６ａと図示しないストロボ制御回路とを含んで構成されている。ストロボ制御回路は、ストロボボタン１７による設定、及び撮影モードに応じて制御部２２がストロボ発光の必要ありと判断したときに、シャッタボタン１２が押圧されるとストロボ発光部１６ａを発光させる。
【００５１】
制御部２２は、ＣＰＵ２２ａ、ＲＯＭ２２ｂ及びＲＡＭ２２ｃから構成され、直接又はバス７０を介して、レンズユニット１４、ストロボユニット１６、第１外部記録部２０ａ、第２外部記録部２０ｂ、メモリブロック４２、圧縮伸張部４４、撮影操作部５０、撮像回路５２、信号処理部５４、及び、画像再生部５６などが接続されている。なお、制御部２２は、本発明の電力切り換え手段の一部に相当する。
【００５２】
ＲＯＭ２２ｂには、制御部２２に接続された上述の各種構成要素を制御するプログラム、撮影処理及び再生処理を行うためのプログラムが記憶されている。また、ＲＡＭ２２ａには、バス７０を介して入力される前記各プログラムに必要な各種データが記憶される。
【００５３】
ＣＰＵ２２ａは、ＲＯＭ２２ｂから各種プログラムを読み出して、各部品の制御を行う。
【００５４】
ここで、ＣＰＵがＲＯＭから読み出した撮影処理及び再生処理を行うためのプログラムに基づく制御ルーチンについて、図４〜図７のフローチャートを参照して説明する。
【００５５】
図４のステップ１００では、電源スイッチ２１により電源がオンにされたかを判断し、電源がオンにされたと判断すると、ステップ１０２に移行してデジタルカメラ１０のシステムの起動処理を行う。デジタルカメラ１０のシステムの起動処理では、イニシャライズした後、動作モードの判定に必要な最小限のプログラムをロードし実行する。なお、最小限のプログラムは、全ての動作モードにおいて共通して必要となるプログラムであり、例えば、モード判定プログラム、電源の電力量の判断を行うプログラム、メモリの空き容量を確認するプログラム、及びディスプレイと接続されているか否かを判定するプログラムが含まれている撮影モードかを判断する。
【００５６】
撮影モードであると判断されると、ステップ１０６に移行して撮影処理を行った後、ステップ１０８に移行する。撮影モードでないと判断されると再生モードであるのでステップ１１０に移行して再生処理を行った後、ステップ１０８に移行する。
【００５７】
ステップ１０８では、電源がオフされたかを判断し、オフされていないと判断されると、ステップ１０４に戻り上述した処理を繰返す。オフされると、本ルーチンを終了する。
【００５８】
ここで、ステップ１０６の撮影処理について図５を参照して説明する。図５のステップ２００では、モードダイヤルにより設定された撮影モードを判定し、次のステップ２０２では、判定した撮影モードに応じた撮影初期処理を行い、ステップ２０４に移行する。
【００５９】
ステップ２０４では、ストロボオンの必要があるかを判断する。ステップ２０４では、選択されたモードに応じて、ストロボボタン１７から強制発光指示が出ている場合、又は、オート撮影モードが選択されている場合にストロボオンの必要有りと判断し、ストロボ発光信号を出力する。
【００６０】
ステップ２０４において、ストロボオンの必要なしと判断された場合は、ステップ２１０に移行し、ストロボオンの必要有りと判断された場合は、ステップ２０６に移行する。
【００６１】
ステップ２０６では、ストロボの充電処理を行う。ストロボの充電処理は、まず、ストロボ充電回路を起動してストロボ発光部を発光させるための電力を蓄積するメインコンデンサ(図示せず)へ充電を開始する。メインコンデンサに電力が蓄積されるにつれてメインコンデンサの電圧が上がり、予め設定されている撮影可能電圧以上になると、撮影可能電圧以上になったことを表わす信号がストロボユニット１６から制御部２２に出力され、制御部２２はこの信号の入力により一旦充電処理を停止する。
【００６２】
ステップ２１０では、ＬＣＤオンの指示信号が入力されたかを判断する。ＬＣＤオンの指示信号は、ユーザがＬＣＤをオンしてディスプレイ４６に画像を表示させた状態で撮影を行うときに、ユーザにより図示しないＬＣＤオンオフのボタンが押圧されることにより制御部２２に出力される。
【００６３】
ステップ２１０において、ＬＣＤオンの指示信号の入力有りと判断された場合、ステップ２１２に移行し、図示しないＬＣＤバックライト用ＤＣ／ＤＣ回路を起動してＬＣＤバックライトに電力を供給すると共に、ＤＣ／ＤＣ回路３１により、液晶駆動回路２４、撮像回路５２に電力を供給する。
【００６４】
これにより、撮像デバイス３０からの撮像信号がバス７０を介して信号処理部５４に送られる。信号処理部５４では、アナログ信号処理部３６、Ａ／Ｄ変換部３８、及び、デジタル信号処理部４０などにより所定の信号処理が施された後、メモリブロック４２を介して画像再生部５６に送られ、ディスプレイ４６に画像として表示される(ムービー状態)。
【００６５】
ステップ２１２において、ディスプレイをムービー状態とした後、ステップ２１４に移行する。また、ステップ２１０において、ＬＣＤオンの指示信号の入力無しと判断された場合もステップ２１４に移行する。
【００６６】
ステップ２１４では、スロット選択処理を行う。本実施の形態のデジタルカメラ１０はＨｉＦＤが装着可能な第１のスロット２３ａと、スマートメディアが装着可能な第２のスロット２３ｂとを備えており、ステップ２１４スロット選択処理では、どちらかのスロットを選択して画像記録する記録媒体の選択を行う。なお、詳細は後述する。
【００６７】
スロットを選択したら、次のステップ２１６に移行してシャッタボタン１２が半押しされたかを判断する。シャッタボタン１２が半押しされたと判断すると、ステップ２１７に移行する。
【００６８】
ステップ２１７では、図示しない測光部からの測光値に基づき自動露出調整を行なう。その後、ステップ２１８に移行し、ステップ２１８にて自動焦点合わせ処理を行ってフォーカスロックを行ない、絞り値を決定する。
【００６９】
次のステップ２２０では、シャッタボタン１２が全押しされたかを判断する。シャッタボタン１２が全押しされたと判断すると露光を開始する。なお、ストロボ発光が必要な場合は、ストロボ発光部１６ａを発光させる。
【００７０】
露光終了後、撮像デバイス３０に蓄積されている電荷情報としての画像情報を読み出し、メモリブロック４２に書き込み、さらに、アナログ処理及びＡ／Ｄ処理後、選択されたスロットに装着された記録媒体に記録する。
【００７１】
次のステップ２２４では、次の撮影が有るかを判断し、有る場合は、ステップ２００に戻り、上述した処理を繰返す。また、次の撮影がない場合は、本ルーチンを終了する。
【００７２】
ここで、ステップ２１４のスロット選択処理について図６を参照して説明する。まず、ステップ３００では、ユーザにより使用するスロットの指定があるかを判断する。
【００７３】
このスロットの指定は、デジタルカメラ１０に予め操作ボタンの１つとしてスロット指定ボタンを備えるように構成するとよい。なお、ディスプレイに指定するスロットの選択ボタンを表示して、その中から使用するスロットを選択するプログラムを備える構成とすることもできる。
【００７４】
ステップ３００で、スロットが指定されたと判断されると、ステップ３０２に移行して、指定されたスロットに対応して設けられたスイッチをオンにし、ＤＣ／ＤＣ回路３１と指定されたスロットに対応する外部記録部とを電気的に接続して、外部記録部に電力を供給する。
【００７５】
次のステップ３０４では、指定されたスロットに記録媒体が装着されているかを判断する。記録媒体が装着されていないと判断された場合は、ステップ３０８に移行して記録媒体が装着されていないことをディスプレイ４６に表示したり、警告音を発するなどのように記録媒体未装着の警告を発する処理を行なう。
【００７６】
ステップ３０４で記録媒体が装着されていると判断されると、次のステップ３０６に移行して装着された記録媒体の空き容量が十分かを判断する。空き容量が十分でないと判断された場合はステップ３０８に移行して空き容量が十分でないことをディスプレイ４６に表示したり、警告音を発するなどのように空き容量不足の警告を発する処理を行なう。また、ステップ３０６で、空き容量が十分であると判断された場合は、本ルーチンを終了する。
【００７７】
一方、ステップ３００で、スロットの指定がないと判断された場合は、ステップ３１０に移行し、予め設定された優先度に基いてスロットの選択を行なう。予め設定された優先度は、デジタルカメラ１０の製造時に設定された固定的な優先度であってもよいし、ユーザにより撮影前に自由に設定された優先度であっても良い。ここでは、デジタルカメラ１０の製造時に設定された固定的な優先度とし、第１優先度のスロットは、ＨｉＦＤが装着可能な第１のスロット２３ａ、第２優先度のスロットは、スマートメディアが装着可能な第２のスロット２３ｂとする。
【００７８】
ステップ３１０では、第１優先度に設定された第１のスロット２３ａを選択し、次のステップ３１２に移行する。ステップ３１２では、第１スイッチ３４ａをオンにしてＤＣ／ＤＣ回路３１と第１外部記録部２０ａとを電気的に接続し、第１のスロット２３ａに対応して設けられた第１外部記録部２０ａに電力を供給する。
【００７９】
次のステップ３１４では、第１のスロット２３ａに記録媒体(ＨｉＦＤ)が装着されているかを判断する。第１のスロット２３ａに記録媒体(ＨｉＦＤ)が装着されていないと判断されると、ステップ３１８に移行し、装着されていると判断されるとステップ３１６に移行する。
【００８０】
ステップ３１６では、装着された記録媒体の空き容量が十分かを判断する。空き容量が十分でないと判断された場合はステップ３１８に移行し、空き容量が十分であると判断された場合は、本ルーチンを終了する。
【００８１】
ステップ３１８では、第１スイッチ３４ａをオフにしてＤＣ／ＤＣ回路３１と第１外部記録部２０ａとを電気的に遮断し、第１のスロット２３ａに対応して設けられた第１外部記録部２０ａに対する電力の供給を停止し、ステップ３２０に移行する。
【００８２】
次のステップ３２０では、第２優先度に設定された第２のスロット２３ｂを選択し、次のステップ３２２に移行する。ステップ３２２では、第２スイッチ３４ｂをオンにしてＤＣ／ＤＣ回路３１と第２外部記録部２０ｂとを電気的に接続し、第２のスロット２３ｂに対応して設けられた第２外部記録部２０ｂに電力を供給する。
【００８３】
次のステップ３２４では、第２のスロット２３ｂに記録媒体(スマートメディア)が装着されているかを判断する。第２のスロット２３ｂに記録媒体(スマートメディア)が装着されていないと判断されると、ステップ３２８に移行し、装着されていると判断されるとステップ３２６に移行する。
【００８４】
ステップ３２６では、装着された記録媒体の空き容量が十分かを判断する。空き容量が十分でないと判断された場合はステップ３２８に移行し、空き容量が十分であると判断された場合は、本ルーチンを終了する。
【００８５】
ステップ３２８では、第２スイッチ３４ｂをオフにしてＤＣ／ＤＣ回路３１と第２外部記録部２０ｂとを電気的に遮断し、第２のスロット２３ｂに対応して設けられた第２外部記録部２０ｂに対する電力の供給を停止し、ステップ３３０に移行する。
【００８６】
ステップ３３０では、画像記録が可能な記録媒体がデジタルカメラ１０に装着されていないことをディスプレイ４６に表示したり、警告音を発するなどのように記録不可の警告を発する処理を行なった後、ステップ３００に戻り上述した処理を繰り返す。
【００８７】
また、図４のステップ１１０の再生処理について、図７のフローチャートを参照して説明する。まず、ステップ４００では、ＬＣＤをオンしてディスプレイ４６に画像を表示させるために、図示しないＬＣＤバックライト用ＤＣ／ＤＣ回路を起動してＬＣＤバックライトに電力を供給する。次のステップ４０２では、ＤＣ／ＤＣ回路３１により、画像再生部５６の液晶駆動回路２４に電力を供給する。
【００８８】
ステップ４０４では、ユーザにより使用するスロットの指定があるかを判断する。スロットの指定有りと判断された場合は、ステップ４０６に移行して、指定されたスロットに対応して設けられたスイッチをオンにし、ＤＣ／ＤＣ回路３１と指定されたスロットに対応する外部記録部とを電気的に接続して、外部記録部に電力を供給する。
【００８９】
次のステップ４０８では、指定されたスロットに記録媒体が装着されているかを判断する。記録媒体が装着されていないと判断された場合は、ステップ４２０に移行して記録媒体が装着されていないことをディスプレイ４６に表示したり、警告音を発するなどのように記録媒体未装着の警告を発する処理を行なう。
【００９０】
ステップ４０８で記録媒体が装着されていると判断されると、次のステップ４１０に移行して記録媒体内の画像情報を読み込み、ステップ４１２に移行して読み込んだ画像情報を予め定めた数ずつサムネイル画像としてディスプレイ４６に表示し、本ルーチンを終了する。なお、１画像ずつディスプレイ４６に表示するように構成しても良い。
【００９１】
一方、ステップ４０４でスロットの指定無しと判断されると、ステップ４１４に移行し、予め設定された第１優先度のスロットを選択する。ここでの予め設定された優先度は、画像記録時と同様の優先度としても良いし、画像記録時とは別に画像読み込み時用の優先度を設定してもよい。勿論、ユーザが設定してもよい。ここでは、説明を簡単にするため、画像記録時と同様の優先度とする。
【００９２】
次のステップ４１４では、第１優先度に設定された第１のスロット２３ａを選択し、次のステップ４１６に移行する。ステップ４１６では、第１スイッチ３４ａをオンにしてＤＣ／ＤＣ回路３１と第１外部記録部２０ａとを電気的に接続し、第１のスロット２３ａに対応して設けられた第１外部記録部２０ａに電力を供給する。
【００９３】
次のステップ４１８では、第１のスロット２３ａに記録媒体(ＨｉＦＤ)が装着されているかを判断する。第１のスロット２３ａに記録媒体(ＨｉＦＤ)が装着されていないと判断されると、ステップ４２２に移行し、装着されていると判断されるとステップ４１０に移行し、上述した処理を行う。
【００９４】
ステップ４２２では、第１スイッチ３４ａをオフにしてＤＣ／ＤＣ回路３１と第１外部記録部２０ａとを電気的に遮断し、第１のスロット２３ａに対応して設けられた第１外部記録部２０ａに対する電力の供給を停止し、ステップ４２４に移行する。
【００９５】
ステップ４２４では、第２優先度に設定された第２のスロット２３ｂを選択し、次のステップ３２２に移行する。ステップ４２６では、第２スイッチ３４ｂをオンにしてＤＣ／ＤＣ回路３１と第２外部記録部２０ｂとを電気的に接続し、第２のスロット２３ｂに対応して設けられた第２外部記録部２０ｂに電力を供給する。
【００９６】
次のステップ４２８では、第２のスロット２３ｂに記録媒体(スマートメディア)が装着されているかを判断する。第２のスロット２３ｂに記録媒体(スマートメディア)が装着されていないと判断されると、ステップ４３０に移行し、装着されていると判断されるとステップ４１０に移行し、上述した処理を行う。
【００９７】
ステップ４３０では、第２スイッチ３４ｂをオフにしてＤＣ／ＤＣ回路３１と第２外部記録部２０ｂとを電気的に遮断し、第２のスロット２３ｂに対応して設けられた第２外部記録部２０ｂに対する電力の供給を停止し、ステップ４３２に移行する。
【００９８】
ステップ４３２では、記録媒体がデジタルカメラ１０に装着されていないことをディスプレイ４６に表示したり、警告音を発するなどのように再生不可の警告を発する処理を行なった後、ステップ４０４に戻り上述した処理を繰り返す。
【００９９】
このように本実施の形態のデジタルカメラ１０では、使用するスロットを選択した後に、選択したスロットに対応して設けられた外部記録部に電力を供給する構成である。そのため、使用しないスロットに対応する外部記録部に電力が供給されて、無駄に電力が消費されることを防止できる。また、スロットを使用する際に始めて電力が供給される構成であるので、待機電力自体も従来より低くすることができるという利点もある。
【０１００】
また、上述した実施の形態では、スロットを使用する際に始めて該スロットに対応して設けられた外部記録部に電力が供給される構成としたが、選択された１つのスロットに対応して設けられた外部記録部に常に電力を供給し、選択するスロットを変えたときにスロットに対応して設けられた外部記録部に供給する電力を切り替える構成とすることもできる。
【０１０１】
また、上記実施の形態では、第１外部記録部２０ａと第２外部記録部２０ｂとのそれぞれに対して制御部２２がオン信号又はオフ信号を２つのスイッチのそれぞれに出力してオンオフを切り替える構成としたが、例えば、図８（Ａ）に示す様に、インバータ回路２１を用いて、1つのオン信号又はオフ信号により２つのスイッチの一方にのみオン信号が出力されるように構成することもできる。
【０１０２】
また、上記実施の形態では、第１外部記録部２０ａと第２外部記録部２０ｂとの夫々に対して個々に第１スイッチ３４ａ、第２スイッチ３４ｂを対応して設けた構成としたが、図８（Ｂ）に示すように、１つの切り替えスイッチ３４ｃにより外部記録部を1つだけ選択する構成のスイッチを採用することもできる。
【０１０３】
なお、本実施の形態では、ユーザによりスロットを選択するモードと、予め設定された優先度に基いて使用するスロットを決定するモードとを含むように構成したが、本発明は、この構成に限定されるものではなく、例えば、ユーザによりスロットを選択するモードのみを備えた撮像装置としたり、予め設定された優先度に基いて使用するスロットを決定するモードのみを備えた撮像装置とすることが可能である。
【０１０４】
また、上記実施の形態では、ＨｉＦＤ及びスマートメディアの異なる２種類の記録媒体を採用した撮像装置について説明したが、同じ種類の記録媒体を採用した撮像装置としたり、例えば、フロッピーディスク（ＦＤ）、ＰＣカード、ＭＯ、フラッシュメモリ、メモリーカード及び、光磁気ディスクなどのその他の種類の記録媒体を採用した撮像装置とすることができる。
【０１０５】
また、選択する記録媒体の種類もＨｉＦＤ（商品名；富士写真フイルム株式会社製）及びスマートメディアの組合わせに限らず、適宜変更することができる。
【０１０６】
さらに、本実施の形態では、デジタルカメラについて説明したが、ビデオカメラなどのように画像情報を記録媒体に記録する他の構成の撮像装置に対しても本発明を適用することができる。
【０１０７】
【発明の効果】
以上説明したように本発明によれば、複数の記録媒体の装着が可能で、かつ、消費電力が少ない撮像装置が得られる、という効果がある。
【図面の簡単な説明】
【図１】図１（Ａ）は本発明の第１の実施の形態のデジタルカメラの外観を示す斜視図であり、図１（Ｂ）は図１（Ａ）に示したデジタルカメラの裏面側の外観を示す斜視図である。
【図２】図１に示したデジタルカメラのスロット蓋を空けた状態でのスロット部分の部分斜視図である。
【図３】第１の実施の形態のデジタルカメラの電気系の構成を示すブロック図である。
【図４】図３に示したデジタルカメラの制御部による制御を示すフローチャートである。
【図５】図４のステップ１０６の撮影処理の制御ルーチンである。
【図６】図５のステップ２１４のスロット選択処理の制御ルーチンである。
【図７】図４のステップ１１０の再生処理の制御ルーチンである。
【図８】図８（Ａ）は図３のブロック図において、制御部からの信号出力の仕方の別の構成を示す回路図であり、  図８（Ｂ）はは図３のブロック図において、スイッチの別の構成を示す説明図である。
【符号の説明】
１０      デジタルカメラ
１１      本体
１２      シャッタボタン
１３      液晶表示パネル
１４      レンズユニット
１５      ファインダ
１６      ストロボユニット
１６ａ    ストロボ発光部
１７      ストロボボタン
１９      十字ボタン
２０ａ    第１外部記録部
２０ｂ    第２外部記録部
２１      電源スイッチ
２２      制御部
２３ａ    第１のスロット
２３ｂ    第２のスロット
２４      液晶駆動回路
２５      メニュー実行ボタン
２６      シャッタ
２７      絞り
２８      蓋
２９      開閉状態検出センサ
３０      撮像デバイス
３１      ＤＣ／ＤＣ回路
３３      電源
３４ａ    第１スイッチ
３４ｂ    第２スイッチ
３５ａ    イジェクトスイッチ
３６      アナログ信号処理部
３８      Ａ／Ｄ変換部
４０      デジタル信号処理部
４２      メモリブロック
４４      圧縮伸張部
４６      ディスプレイ
４７      モードダイヤル
５０      撮影操作部
５２      撮像回路
５４      信号処理部
５６      画像再生部
７０      バス
【図１】
0004410405.tif 000002
【図２】
0004410405.tif 000003
【図３】
0004410405.tif 000004
【図４】
0004410405.tif 000005
【図５】
0004410405.tif 000006
【図６】
0004410405.tif 000007
【図７】
0004410405.tif 000008
【図８】
0004410405.tif 000009